(57)【特許請求の範囲】
【請求項１】
含水率を０．３重量％以下として再生処理した植物油を用いたインキを使用したことを特徴とする、再生植物油を用いたインキ。
【請求項２】
含水率を０．１重量％以下として再生処理した植物油を用いたインキを使用したことを特徴とする、請求項１記載の再生植物油を用いたインキ。
【請求項３】
ヨウ素価を１００以上として再生処理した植物油を用いたインキを使用したことを特徴とする、再生植物油を用いたインキ。
【請求項４】
ヨウ素価を１２０以上として再生処理した植物油を用いたインキを使用したことを特徴とする、請求項３記載の再生植物油を用いたインキ。
【請求項５】
酸価が３以下の植物油を再生処理した油を用いたインキを使用したことを特徴とする、再生植物油を用いたインキ。
【請求項６】
ヨウ素価を１００以上として再生処理した植物油、酸価が３以下の植物油を再生処理した油、及び酸価が３以下の植物油をヨウ素価を１００以上として再生処理した油のグループから選択された油を用いたインキであることを特徴とする請求項１又は２記載の再生植物油を用いたインキ。
【請求項７】
ヨウ素価を１２０以上として再生処理した植物油、及び酸価が３以下の植物油をヨウ素価を１２０以上として再生処理した油のグループから選択された油を用いたインキであることを特徴とする請求項１又は２記載の再生植物油を用いたインキ。
【請求項８】
前記油として、飲食物の製造に用いた植物油を再生処理した油を用いたことを特徴とする請求項１乃至７の何れかに記載の再生植物油を用いたインキ。
【請求項９】
インキは、オフセット印刷用インキであることを特徴とする請求項１乃至８の何れかに記載の再生植物油を用いたインキ。
【請求項１０】
オフセット輪転印刷機用であって、顔料１０〜２０重量％、樹脂２０〜３０重量％、溶剤２５〜４０重量％、油５〜１５重量％、その他補助剤２〜１０重量％からなることを特徴とする請求項９記載の再生植物油を用いたオフセット印刷用インキ。
【請求項１１】
枚葉印刷機用であって、顔料１０〜２０重量％、樹脂２５〜３０重量％、溶剤２５〜４０重量％、油１０〜２５重量％、ドライヤー０．５〜１．５重量％、その他補助剤２〜１０重量％からなることを特徴とする請求項９記載の再生植物油を用いたオフセット印刷用インキ。
【発明の詳細な説明】
【０００１】
【発明の属する技術分野】
本発明は、雑誌、書籍、ポスター等の印刷物に関し、特にその印刷物に使用したインキが、天ぷらなど飲食物の製造等に用いた後の植物油を再生処理した油を用いたインキに関する。
【０００２】
【従来の技術】
近年、植物油、特に大豆油を用いたインキは環境対応として使用されてきている。特に米国では政府刊行物に関して一部法律において大豆油を用いたインキを使用するように定められている。しかし、特に日本においては従来の石油系溶剤に比べて大豆油のコストは高く、大豆油を用いたインキの使用量は伸びていない。
【０００３】
また一方、飲食物の製造に使用され残された油（以下、廃食油とする）は、再生処理することで、飼料の製造に用いたり、燃料としたり、加工して石鹸としたりして再利用されている。しかし廃食油は年々増加しており、処理しきれていない。
【０００４】
【発明が解決しようとする課題】
本発明はこれらの問題点を解決するためになされたものであり、その課題とするところは、植物油を用いたインキのコストを低減し、かつ飲食物の製造などに使用され残された油を再利用する手段を提供することにある。
【０００５】
【課題を解決するための手段】
本発明はこの課題を解決するためになされたものであり、すなわち本発明は、植物油を再生処理した油を用いたことを特徴とする、再生植物油を用いたインキである。
【０００６】
本発明はこの手段により、再生処理した植物油を用いたことで、原材料費がバージンの植物油を使用するより安いものとなり、資源の再利用の点からもより一層環境対策がなされたインキを得ることが可能となった。
【０００７】
また、本発明は、飲食物の製造に用いた植物油を再生処理した油を用いたことを特徴とする、再生植物油を用いたインキである。
【０００８】
本発明はこの手段により、再生処理した廃食油を用いたことで、原材料費がバージンの植物油を使用するより安いものとなり、資源の再利用の点からもより一層環境対策がなされたインキを得ることが可能となった。さらに廃食油を再生処理したインキを使用することで、年々増加している廃食油の再利用が可能となった。
【０００９】
また、本発明は、含水率を０．３重量％以下として再生処理した植物油を用いることを特徴とする、再生植物油を用いたインキである。
【００１０】
本発明はこの手段により、再生処理において植物油の水分を除去することで、水分に含まれる塩分等の、インキの乳化に影響を与える不純物を取り除くことができ、再生処理が安価に容易に行なえることから、バージンの植物油を使用するより安いものとなり、資源の再利用の点からもより一層環境対策がなされたインキを得ることが可能となった。
【００１１】
また、本発明は、ヨウ素価を１００以上として再生処理した植物油を用いることを特徴とする、再生植物油を用いたインキである。
【００１２】
本発明はこの手段により、ヨウ素価を１００以上として再生処理することで、インキに用いる際に乾燥性の良いものとすることができ、印刷作業効率を向上させることで、バージンの植物油を使用するより安いものとなり資源の再利用の点からもより一層環境対策がなされたインキを得ることが可能となった。
【００１３】
また、本発明は、酸価が３以下の植物油を再生処理して用いることを特徴とする、再生植物油を用いたインキである。
【００１４】
本発明はこの手段により、酸価が３以下の植物油を選別して再生処理することで、使用する再生植物油の酸価を低いものとし、インキとした際の乳化を抑制することが可能となり、印刷適性を得ることで、バージンの植物油を使用するより安いものとなり資源の再利用の点からもより一層環境対策がなされたインキを得ることが可能となった。
【００１５】
【発明の実施の形態】
以下、本発明を詳細に説明する。
本発明における植物油としては、食用として大豆油、菜種油、トウモロコシ油、米油、綿実油、ごま油、ひまわり油、サフラワー油、オリーブ油等があり、非食用としてパーム油、やし油、あまに油、パーム核油、桐油等があるがこれらに限定されるものではなく、植物油で再生処理可能であるものであれば適用可能である。
【００１６】
本発明において、飲食物の製造などの用いた植物油としては、飲食店や学校給食、惣菜屋などで天ぷらなどの製造に使用した植物油を回収したものが挙げられるが、これらに限定されるものではなく、使用後の植物油で再生可能なものであれば適用可能である。
【００１７】
本発明における植物油の再生処理の方法としては、ろ過、静置による沈澱、活性白土による脱色といった方法が挙げられるが、特にこれらに限定されるものではなく、適用可能である。
【００１８】
本発明における植物油を用いたインキとしては、特に平版用インキが挙げられ、さらには枚葉印刷機用インキとオフセット輪転印刷機用インキが挙げられるが、特にこれらに限定されるものではなく、適用可能である。
【００１９】
上記枚葉印刷機用インキの組成の一例としては、顔料１０〜２０重量％、樹脂２５〜３０重量％、溶剤２５〜４０重量％、油１０〜２５重量％、ドライヤー０．５〜１．５重量％、その他補助剤２〜１０重量％程度の構成が挙げられる。これらを通常の方法により適宜配合して練肉することによりインキとすることができる。植物油はこの油と溶剤の一部に用いることが可能である。特に植物油が大豆油由来のものであって、全体の２０重量％以上が大豆油であるとすると、米国大豆協会の大豆油インキとしての認定基準を満たすので好ましい。
【００２０】
上記オフセット輪転印刷機用インキの組成の一例としては、顔料１０〜２０重量％、樹脂２０〜３０重量％、溶剤２５〜４０重量％、油５〜１５重量％、その他補助剤２〜１０重量％程度の構成が挙げられる。これらを通常の方法により適宜配合して練肉することによりインキとすることができる。植物油はこの油と溶剤の一部に用いることが可能である。特に植物油が大豆油由来のものであって、全体の７重量％以上が大豆油であるとすると、米国大豆協会の大豆油インキとしての認定基準を満たすので好ましい。
【００２１】
本発明において、植物油を用いたインキを使用して印刷することにより、従来の石油系溶剤を用いたインキに比べて揮発性有機化合物の放出を軽減させることができる。つまり印刷現場に揮発性有機化合物の塵が飛ぶことが少なく、作業能率を向上させるとともに、作業者の衛生面で好ましい。また、スモッグ及び温室化現象の防止にもつながり、作業後の印刷機の洗浄もしやすいものとなる。その他廃棄物の生分解性が早い、脱墨性に優れ再生紙にしやすい等の特徴もある。
【００２２】
しかし、多くの植物油は石油系溶剤と比較してコストに問題があり、需要の伸びは芳しくない。さらに最近は枚葉印刷からオフセット輪転印刷へ移る傾向が大きく、それによっても植物油の使用は減少してきている。そこで本発明は飲食物の製造などに使用した植物油を再生処理し、これを用いることによりバージンの植物油を使用するより安いものとなり資源の再利用の点からもより一層環境対策がなされた印刷物を得ることを可能としている。
【００２３】
本発明のインキを用いた印刷物としては、雑誌、週刊誌、カタログ、パンフレットなどがあるがこれらに限定されるものではなく、適宜使用可能である。
【００２４】
これら印刷物の製造方法としては、上記インキにより定められ、オフセット平版印刷が好適であるが、特にこれに限定されるものではなく、適宜使用可能である。
【００２５】
本発明では、植物油の含水率を０．３重量％以下となるように再生処理することが好ましい。さらに好ましくは０．１重量％以下、最も好ましくは０．０５重量％以下である。再生処理による含水率が０．３重量％を超えるほどに水が含まれていると、インキとした際に過剰乳化を起こしてしまう。
特にオフセット印刷の場合、インキが過剰乳化を起こすと、水中油型の乳化を起こしたものが版面上の水の中に散らばって、非画線部の広い範囲か一面にいわゆる浮き汚れを発生することとなる。
【００２６】
特に飲食物の製造に用いた植物油の場合、不純物として塩分や糖分が存在し、この存在によりインキとした際に乳化が過剰に進んでしまう。これら塩分等の多くは水分中にイオン状態で存在している。
【００２７】
そこで本発明においては、上記のごとく植物油の含水率を０．３重量％以下となるように再生処理することで、油中の水分を除く共に不純物である塩分や糖分を除去し、インキの過剰乳化を防ぎ印刷適性を向上させることが好ましい。
【００２８】
上記植物油の含水率を０．３重量％以下となるように再生処理する方法としては、静置し、水分をその他不純物と共に沈澱させ、上澄みをとるという方法により可能であるが、特にこれに限定されるものではなく、その他の方法であっても適用可能である。
【００２９】
また本発明では、植物油のヨウ素価を１００以上となるように再生処理することが好ましい。さらに好ましくは１１０以上、最も好ましくは１２０以上である。ヨウ素価が１００より低ければインキとした際の乾燥性に劣るものとなってしまい、特にオフセット枚葉印刷の様に、酸化重合反応で乾燥させる場合、裏面印刷前の乾燥に時間がかかってしまい、印刷作業効率が大幅に劣るものとなってしまう。
【００３０】
特に飲食物の製造に用いた植物油の場合、肉類や魚類の肉汁により不純物として動物性油が存在し、これらの存在によりインキとした際にさらに乾燥性の悪いものとなってしまう。
【００３１】
そこで本発明においては、上記のごとく植物油のヨウ素価を１００以上となるように再生処理することで、動物性油を油中から除去し、インキの乾燥性を適切なものとし、印刷作業効率をを向上させることが好ましい。
【００３２】
上記植物油のヨウ素価を１００以上となるように再生処理する方法としては、静置し、ある程度冷却することで動物性油のみをその凝固点の違いにより固化し、その他の不純物と共に沈澱させ、上澄みをとるという方法により可能である。特にこの方法は上記含水率を０．３重量％以下となるように再生処理する方法と同一の方法で行なえることから好ましい方法であるが、特にこれに限定されるものではなく、その他の方法であっても適用可能である。
【００３３】
また本発明では、再生前の植物油の酸価が３以下である植物油を選別して再生処理したものを用いることが好ましい。より好ましくは２以下であり、最も好ましくは１．５以下である。酸価が３より高いものであると、遊離脂肪酸によりインキとした際とした際に乳化が過剰に進んでしまう。
【００３４】
特に飲食物の製造に用いた植物油においては、天ぷら油のように熱処理を加えたものが多く、酸価が高くなってしまう。
【００３５】
そこで本発明においては、上記のごとく再生前の植物油の酸価が３以下である植物油を選別して再生処理することで、再生後の植物油の遊離脂肪酸の数を少ないものとし、インキとした際の過剰乳化を防ぎ、印刷適性を向上させることが好ましい。
【００３６】
上記再生前の植物油の酸価が３以下の物を選別して再生処理する方法としては、酸価はその植物油の使用状況ごとに異なることから、再生前の植物油を収集してきた箇所ごとに酸価を測定し、その際の酸価が３以下の物を選別する、といったことにより可能である。
【００３７】
【実施例】
＜実施例１：含水率＞
未使用の大豆油（１）と、この大豆油を主に用いている惣菜屋より回収した廃食油（２）と、これをろ過して野外に一昼夜静置後上澄みをとり活性白土による脱色をした再生処理した油（３）とを用意した。
【００３８】
これらの含水率を測定したところ、（１）が０重量％、（２）が１０重量％、（３）が０．１重量％であった。これらを油成分としてインキを作成したところ、（１）、（３）では特に問題はみられなかったが、（２）では顔料成分が水分の影響で分離してしまって、インキとして使用できる状態ではなくなってしまった。
【００３９】
＜実施例２：ヨウ素価＞
実施例１の油のヨウ素価は（１）が１３０、（２）が９０、（３）が１２０であった。以下、再生処理を調整してヨウ素価を１００、１１０、１２０としたものと（１）の油を用意し、これらからインキを作成した。これらのインキにより、４色平版枚葉印刷機により片面印刷を行い、各１２時間、２４時間、３６時間放置後に同じインキにより裏刷りを行い、それぞれの印刷適性を評価した。結果を以下に示す。
【００４０】
【表１】
0003643720.tif 000002
【００４１】
以上に示すように、ヨウ素価が１００以上であれば３６時間の放置により乾燥状態の良いものとなり、裏刷り可能となった。
【００４２】
＜実施例３：酸価＞
実施例１の油の酸価は（１）が０、（２）と（３）が２．５であった。以下（１）の油を熱処理により酸価１，２，４としたものを用意し、三菱重工（株）製４色オフセット輪転印刷機「リソピア」により印刷した。乳化の調整のため湿し水ダイヤルを５０、６０、７５と調整し、その際の版面の汚れを比較した。ここで湿し水ダイヤルとは印刷機の湿し水ローラの回転数を調整するものであって、０〜１００まであり、ダイヤルの数が多いほど湿し水の量も多くなるものである。結果を以下に示す。
【００４３】
【表２】
0003643720.tif 000003
【００４４】
以上に示すように、酸価が４のものは湿し水ダイヤルを５０としても一部汚れが発生し、印刷適性が得られないものであった。
【００４５】
【発明の効果】
以上に示すように、本発明の再生植物油を用いたインキは、請求項１記載の発明によれば、植物油を用いたインキを使用して印刷することにより、従来の石油系溶剤を用いたインキに比べて揮発性有機化合物の放出を軽減させることができる。つまり印刷現場に揮発性有機化合物の塵が飛ぶことが少なく、作業能率を向上させるとともに、スモッグ及び温室化現象の防止にもつながる。また、作業後の印刷機の洗浄もしやすいものとなる。その他廃棄物の生分解性が早い、脱墨性に優れ再生紙にしやすい等の特徴もある。特に再生処理した植物油を用いたインキを使用することで、原材料費がバージンの植物油を使用するより安いものとなり、資源の再利用の点からもより一層環境対策がなされたインキを得ることが可能となるという効果を奏する。
【００４６】
請求項２記載の発明によれば、再生処理した廃食油を用いたインキを使用することで、原材料費がバージンの植物油を使用するより安いものとなり、資源の再利用の点からもより一層環境対策がなされたインキを得ることが可能となった。さらに廃食油を再生処理したインキを使用することで、年々増加している廃食油の再利用が可能となるという効果を奏する。
【００４７】
請求項３記載の発明によれば、再生処理において植物油の水分を除去することで、水分に含まれる塩分や糖分といった、インキの乳化に影響を与える不純物を取り除くことができ、再生処理が安価に容易に行なえることから、バージンの植物油を使用するより安いものとなり、資源の再利用の点からもより一層環境対策がなされたインキを得ることが可能となるという効果を奏する。
【００４８】
請求項４記載の発明によれば、ヨウ素価を１００以上として再生処理することで、インキに用いる際に乾燥性の良いものとすることができ、印刷適性を得ることで、バージンの植物油を使用するより安いものとなり資源の再利用の点からもより一層環境対策がなされたインキを得ることが可能となるという効果を奏する。
【００４９】
請求項５記載の発明によれば、酸価が３以下の植物油を選別して再生処理することで、使用する再生植物油の酸価を低いものとし、インキとした際の乳化を抑制することが可能となり、印刷適性を得ることで、バージンの植物油を使用するより安いものとなり資源の再利用の点からもより一層環境対策がなされたインキを得ることが可能となるという効果を奏する。